(57)【特許請求の範囲】
【請求項１】
磁力を発生するマグネットと、
磁力を作用させる磁気ギャップと、
少なくとも一部が前記マグネットに対向して位置され、マグネットの磁力を前記磁気ギャップに導く磁気回路を形成するヨークと、
筒状に形成され前記マグネットと前記ヨークに対して軸方向へ変動可能にされたコイルボビンと、
前記コイルボビンに巻き付けられ少なくとも一部が前記磁気ギャップに配置されたコイルと、
前記コイルボビンの変動に伴って振動されるコーンと、
前記コイルボビンに連結され、前記コイルボビンを介して前記コーンを略中央に保持するエッジと、
前記エッジ及び前記磁気回路をそれぞれ固定するフレームとを備え、
前記磁気ギャップに磁性流体が注入され、
前記磁性流体及び前記エッジに前記コイルボビンが支持され、
前記磁性流体の粘度が所定以上の値にされて機械的共振尖鋭度が１．０以下にされ、
電流駆動によって電流に比例した音声の出力が行われる
スピーカーユニット。
【請求項２】
全帯域用のフルレンジ又は低域用のウーファーとして用いられた
請求項１に記載のスピーカーユニット。
【請求項３】
前記機械的共振尖鋭度が０．５以上０．６以下にされた
請求項１に記載のスピーカーユニット。
【請求項４】
前記磁性流体として合成エステルに酸化鉄が含有された材料が用いられた
請求項１に記載のスピーカーユニット。
【発明の詳細な説明】
【技術分野】
【０００１】
本技術はスピーカーユニットについての技術分野に関する。詳しくは、電流駆動によって動作されるスピーカーユニットにおいて機械的共振尖鋭度を低下させ最低共振周波数付近における発振を抑制して音質の向上を図る技術分野に関する。
【背景技術】
【０００２】
スピーカーユニットには、例えば、マグネットとヨークとコイル（ボイスコイル）によって構成された磁気回路を有し、コイルが巻き付けられたコイルボビンが軸方向へ変動（振動）されて音声の出力が行われる所謂ダイナミック型のスピーカーユニットがある。【０００３】
このようなスピーカーユニットには、電圧駆動によって動作されるタイプがあるが、スピーカーユニットに対する駆動力は電流に比例するため、電圧駆動によるスピーカーユニットの場合には、各種の状況において電圧と駆動力の間の線形性が崩れ、スピーカーユニットから出力される音声の音質の低下を来たすおそれがある。【０００４】
例えば、電圧駆動タイプのスピーカーユニットにおいては、周波数領域が高くなるに従ってコイルに電流が流れ難くなるため、高周波領域において出力が低下してしまう。【０００５】
一方、電流によって駆動するアンプが存在するが、このアンプによって電圧駆動を前提としたスピーカーユニットを動作させると、コイルの発電による電磁ブレーキがキャンセルされるため、最低共振周波数付近においてバネ振動による大きな発振が生じ、音質の低下を来たしてしまう。【０００６】
そこで、スピーカーユニットには、背圧に空気抵抗を付加する抵抗付加用の不織紙等のシートを貼り付けて最低共振周波数付近における発振を抑制するようにしたものがある。【０００７】
しかしながら、このようなスピーカーユニットにおいては、シートによる部品点数の増加によって製造コストの高騰やシートの貼付と言う作業工程の増加の他に外観の悪化という問題が生じてしまう。また、シートの剥がれが生じると、発振の抑制機能が低下してしまう。【０００８】
このような観点から、マグネットとヨークの間に形成された磁気ギャップに適度の制動を与える粘度を有する磁性流体を注入したスピーカーユニットがある（例えば、特許文献１及び特許文献２参照）。
【先行技術文献】
【特許文献】
【０００９】
【特許文献１】特開昭５７−２０８７９４号公報
【特許文献２】特開昭５８−４６７９８号公報
【発明の概要】
【発明が解決しようとする課題】
【００１０】
ところが、特許文献１及び特許文献２に記載されたスピーカーユニットにあっては、磁気ギャップに適度の制動を与える粘度を有する磁性流体が注入されることにより、発振を低下させることが可能であるが、ダンパーやエッジの弾性の強さ、コーンの重さ、磁性流体の粘度の値によっては音質の向上を図ることができる程度の十分な発振の抑制効果が発揮されない。【００１１】
例えば、磁性流体を用いた場合においても、振動の収束の程度を示す指標である尖鋭度（機械的共振尖鋭度や綜合共振尖鋭度）が十分に小さくならないと、最低共振周波数付近における発振を十分に抑制することができない。【００１２】
そこで、本技術スピーカーユニットは、上記した問題点を克服し、機械的共振尖鋭度を低下させ最低共振周波数付近における発振を抑制して音質の向上を図ることを課題とする。
【課題を解決するための手段】
【００１３】
第１に、スピーカーユニットは、上記した課題を解決するために、磁力を発生するマグネットと、磁力を作用させる磁気ギャップと、少なくとも一部が前記マグネットに対向して位置され、マグネットの磁力を前記磁気ギャップに導く磁気回路を形成するヨークと、筒状に形成され前記マグネットと前記ヨークに対して軸方向へ変動可能にされたコイルボビンと、前記コイルボビンに巻き付けられ少なくとも一部が前記磁気ギャップに配置されたコイルと、前記コイルボビンの変動に伴って振動されるコーンと、前記コーンを略中央に保持するエッジと、前記エッジ及び前記ヨークをそれぞれ固定するフレームとを備え、前記磁気ギャップに磁性流体が注入され、前記磁性流体の粘度が所定以上の値にされて機械的共振尖鋭度が１．０以下にされ、電流駆動によって電流に比例した音声の出力が行われるものである。【００１４】
従って、スピーカーユニットにあっては、最低共振周波数付近における発振が抑制される。【００１５】
第２に、上記したスピーカーユニットにおいては、全帯域用のフルレンジ又は低域用のウーファーとして用いられることが望ましい。【００１６】
全帯域用のフルレンジ又は低域用のウーファーとして用いられることにより、スピーカーユニットの再生帯域に最低共振周波数が必ず含まれる。【００１７】
第３に、上記したスピーカーユニットにおいては、機械的共振尖鋭度が０．５以上０．６以下にされることが望ましい。【００１８】
機械的共振尖鋭度が０．５以上０．６以下にされることにより、低域の良好な出力状態を確保した上で最低共振周波数における発振が抑制される。【００１９】
第４に、上記したスピーカーユニットにおいては、フレームと前記コイルボビンの間で連結された弾性を有するダンパーが設けられることが望ましい。【００２０】
フレームとコイルボビンの間で連結された弾性を有するダンパーが設けられることにより、ダンパーによってコイルボビンの軸方向における過度の変動が抑制される。【００２１】
第５に、上記したスピーカーユニットにおいては、前記磁性流体として合成エステルに酸化鉄が含有された材料が用いられることが望ましい。【００２２】
磁性流体として合成エステルに酸化鉄が含有された材料が用いられることにより、機械的共振尖鋭度を低下させる材料として好適な材料が磁性流体として用いられる。
【発明の効果】
【００２３】
本技術スピーカーユニットは、磁力を発生するマグネットと、磁力を作用させる磁気ギャップと、少なくとも一部が前記マグネットに対向して位置され、マグネットの磁力を前記磁気ギャップに導く磁気回路を形成するヨークと、筒状に形成され前記マグネットと前記ヨークに対して軸方向へ変動可能にされたコイルボビンと、前記コイルボビンに巻き付けられ少なくとも一部が前記磁気ギャップに配置されたコイルと、前記コイルボビンの変動に伴って振動されるコーンと、前記コーンを略中央に保持するエッジと、前記エッジ及び前記ヨークをそれぞれ固定するフレームとを備え、前記磁気ギャップに磁性流体が注入され、前記磁性流体の粘度が所定以上の値にされて機械的共振尖鋭度が１．０以下にされ、電流駆動によって電流に比例した音声の出力が行われる。【００２４】
従って、最低共振周波数付近における発振を十分に抑制することが可能になり、音質の向上を図ることができる。【００２５】
請求項２に記載した技術にあっては、全帯域用のフルレンジ又は低域用のウーファーとして用いられている。【００２６】
従って、スピーカーユニットの再生帯域に最低共振周波数が必ず含まれ、この最低共振周波数における発振を確実に抑制して、低域における音質の向上を図ることができる。【００２７】
請求項３に記載した技術にあっては、前記機械的共振尖鋭度が０．５以上０．６以下にされている。【００２８】
従って、低域の良好な出力状態を確保した上で最低共振周波数における発振を十分に抑制して音質の一層の向上を図ることができる。【００２９】
請求項４に記載した技術にあっては、フレームと前記コイルボビンの間で連結された弾性を有するダンパーとが設けられている。【００３０】
従って、再生域における高い出力を確保することができる。【００３１】
請求項５に記載した技術にあっては、前記磁性流体として合成エステルに酸化鉄が含有された材料が用いられている。【００３２】
従って、スピーカーユニットの製造コストの高騰を来たすことなく音質の向上を図ることができる。
【図面の簡単な説明】
【００３３】
【図１】図２乃至図６と共に本技術の実施の形態を示すものであり、本図は、スピーカーシステムのブロック図である。
【図２】スピーカーユニットの側面図である。
【図３】スピーカーユニットの断面図である。
【図４】磁性流体の磁気ギャップへの注入状態を示す拡大断面図である。
【図５】スピーカーユニットの総合共振尖鋭度による低域の再生特性を示すグラフ図である。
【図６】変形例に係るスピーカーユニットの断面図である。
【発明を実施するための形態】
【００３４】
以下に、本技術スピーカーユニットを実施するための最良の形態を添付図面に従って説明する。
【００３５】
以下の説明においては、スピーカーユニットが向く方向を前方として上下前後左右の方向を示す。
【００３６】
尚、以下に示す上下前後左右の方向は、説明の便宜上示すものであり、本技術はこれらの方向に限定して適用されることはない。
【００３７】
［全体構成］
先ず、スピーカーユニットが用いられるスピーカーシステムの全体構成について説明する（図１参照）。
【００３８】
スピーカーシステム１００は、例えば、デジタルミュージックプレーヤー（ＤＭＰ）やディスクプレーヤー等の音声信号出力部１０１と音声信号出力部１０１から出力される音声信号を電流駆動によって増幅するアンプ１０２と音声を出力するスピーカー１０３とを有している。アンプ１０２には音量調節のためのボリュームが内蔵されていてもよい。
【００３９】
音声信号出力部１０１から出力される音声信号はアナログ信号であり、アンプ１０２によって増幅されてスピーカー１０３から音声として出力される。スピーカー１０３においては電流駆動によって電流に比例した音声の出力が行われる。
【００４０】
スピーカー１０３はエンクロージャー（筐体）とスピーカーユニット１によって構成されている。尚、エンクロージャーとしては密閉型、バスレフ型、バックロードホーン型、音響パイプ型等の各種のタイプが用いられる。
【００４１】
［スピーカーユニットの具体的構成］
スピーカーユニット１はフレーム２の内外に所要の各部が配置されて成る（図２及び図３参照）。
【００４２】
フレーム２は、略円環状に形成された先端側周状部３と、先端側周状部３の後方に位置され略円環状に形成された基端側周状部４と、先端側周状部３と基端側周状部４を連結する連結脚部５、５、・・・とを有している。
【００４３】
基端側周状部４の径は先端側周状部３の径より小さくされ、連結脚部５、５、・・・は前方へ行くに従って外方へ変位するように傾斜されている。先端側周状部３の前側の開口は、前方、即ち、音声の出力方向に開口された開口部３ａとして形成されている。
【００４４】
連結脚部５にはターミナル６が取り付けられている。ターミナル６はアンプ１０２との接続が行われる端子部として設けられている。
【００４５】
フレーム２の後端側にはヨーク７が配置されている。ヨーク７はフレーム２の後端部に固定され、前端部を除いてフレーム２から後方へ突出されている。
【００４６】
ヨーク７は略円板状のベース面部８とベース面部８の外周部から前方へ突出された略円筒状の挿入配置部９とベース面部８の中心部から後方へ突出された突部１０とが一体に形成されて成る。ヨーク７にはベース面部８と突部１０を貫通する貫通孔７ａが形成されている。
【００４７】
ベース面部８の外周部には周方向に離隔して孔８ａ、８ａ、・・・が形成されている。
【００４８】
ヨーク７の内側には前側から順に第１のプレート１１、マグネット１２及び第２のプレート１３が互いに接した状態で固定されて配置されている。第１のプレート１１、マグネット１２及び第２のプレート１３は何れも、例えば、円環状に形成されている。第２のプレート１３の後面はヨーク７におけるベース面部８の前面に固定されている。
【００４９】
ヨーク７の中心軸と第１のプレート１１、マグネット１２及び第２のプレート１３の各中心軸とは一致されている。挿入配置部９の内周面と第１のプレート１１、マグネット１２及び第２のプレート１３の外周面との間の空間は、後述するコイルにマグネット１２から発生する磁力を作用させる磁気ギャップ１４として形成されている。
【００５０】
フレーム２の内部には円筒状のコイルボビン１５が配置され、コイルボビン１５は後端部が磁気ギャップ１４に位置されている。コイルボビン１５はヨーク７、第１のプレート１１、マグネット１２及び第２のプレート１３に対して軸方向（前後方向）へ変動可能（移動可能）とされている。
【００５１】
コイルボビン１５の後端部における外周面にはコイル（ボイスコイル）１６が巻き付けられている。コイル１６は両側の端部が巻き付けられた部分から導出されてターミナル６に接続されている。コイル１６は磁気ギャップ１４に位置されている。
【００５２】
コイル１６が磁気ギャップ１４に位置されることにより、第１のプレート１１、マグネット１２、第２のプレート１３、ヨーク７及びコイル１６によって磁気回路が構成される。
【００５３】
第１のプレート１１とヨーク７における挿入配置部９の前端部との間には磁性流体１７が注入されている（図３及び図４参照）。磁性流体１７は第１のプレート１１と挿入配置部９の前端部との間で滞留される。
【００５４】
磁性流体１７としては、例えば、合成エステルに酸化鉄が含有された材料が用いられ、粘度が高くされたコロイド状にされている。尚、磁性流体１７は合成エステルに酸化鉄が含有された材料に限られることはなく、磁性流体１７として他の材料が用いられてもよい。
【００５５】
但し、磁性流体１７としては、スピーカーユニット１の駆動時における振動に伴って飛散されず、使用時の温度等によって固化されず、高い耐熱性と高い磁束密度を有する材料が用いられることが望ましい。このような観点においては、上記した合成エステルに酸化鉄が含有された材料は、磁性流体１７として用いられる材料として好適な材料である。
【００５６】
コイルボビン１５の前端部にはコーン１８が取り付けられている。コーン１８はコイルボビン１５の軸方向における変動に伴って変動（振動）される。
【００５７】
コイルボビン１５の前端部とフレーム２の先端側周状部３との間には環状に形成されたエッジ１９が連結されている。エッジ１９はコーン１８を略中央に保持すると共にコイルボビン１５の軸方向における変動に伴って変動（振動）される。
【００５８】
上記したように、スピーカーユニット１には磁性流体１７が注入され、磁性流体１７がコイルボビン１５をセンターリングする機能を有している。従って、スピーカーユニット１にはダンパーが設けられていなくてもよい。
【００５９】
スピーカーユニット１にダンパーが設けられていないことにより、その分、部品点数が削減され、スピーカーユニット１の製造コストの低減を図ることができる。
【００６０】
［スピーカーユニットの動作］
上記のように構成されたスピーカーユニット１において、コイル１６に駆動電流が供給されると、磁気回路において推力が発生されコイルボビン１５が前後方向（軸方向）へ変動されコイルボビン１５の変動に伴ってコーン１８とエッジ１９が振動する。このとき電流に比例した音声の出力、即ち、音声信号出力部１０１から出力されアンプ１０２によって増幅された音声の出力が行われる。
【００６１】
［尖鋭度］
スピーカーユニット１においては、上記したように、磁性流体１７の粘度が高くされており、機械的共振尖鋭度Ｑｍｓが１．０以下にされている。機械的共振尖鋭度Ｑｍｓは電気的共振尖鋭度Ｑｅｓや総合共振尖鋭度Ｑｔｓとともに振動の収束の程度を示す指標であり、値が小さいほど最低共振周波数Ｆ０付近における発振が低減される。
【００６２】
総合共振尖鋭度Ｑｔｓは、
Ｑｔｓ＝（Ｑｍｓ×Ｑｅｓ）／（Ｑｍｓ＋Ｑｅｓ）
によって示される。
【００６３】
図５は、スピーカーユニットの総合共振尖鋭度Ｑｔｓによる低域の再生特性を示すグラフ図である。
【００６４】
図５に示すように、総合共振尖鋭度Ｑｔｓの値が大きいほど最低共振周波数Ｆ０（約５００Ｈｚ）のピークが大きくなり発振が生じ易くなる。逆に、総合共振尖鋭度Ｑｔｓの値が小さいほど最低共振周波数Ｆ０のピークが小さくなり発振が生じ難くなるが、再生能力が低下する。従って、最低共振周波数Ｆ０付近における共振のピークを低下させると共に良好な再生能力を確保するためのバランスが必要である。
【００６５】
最低共振周波数Ｆ０が再生帯域に存在する全帯域用のフルレンジ又は低域用のウーファー等の電圧駆動用のスピーカーユニットにおいて、粘度の高い磁性流体を使用すると、電気的共振尖鋭度Ｑｅｓで表されるコイル（コイルボビン）の速度に比例して発生する電磁ブレーキの作用により、スピーカーユニットの総合共振尖鋭度Ｑｔｓが小さくなり過ぎて低音の再生能力が低下してしまう。
【００６６】
従って、最低共振周波数Ｆ０が再生帯域に存在するフルレンジ又はウーファー等の電圧駆動用のスピーカーユニットにおいては、一般に、磁性流体の粘度を小さくして機械的共振尖鋭度Ｑｍｓが小さくならないように調整される。
【００６７】
しかしながら、スピーカーユニット１においては、電流駆動によって動作されるためコイル（コイルボビン）の速度に比例して発生する電磁ブレーキの作用がキャンセルされ、電気的共振尖鋭度Ｑｅｓが非常に大きな値になる。従って、電気的共振尖鋭度Ｑｅｓは機械的共振尖鋭度Ｑｍｓに対して極めて大きな値になり、
総合共振尖鋭度Ｑｔｓは、
Ｑｔｓ＝（Ｑｍｓ×Ｑｅｓ）／（Ｑｍｓ＋Ｑｅｓ）＝（Ｑｍｓ）／（Ｑｍｓ／Ｑｅｓ＋１）
からＱｍｓ／Ｑｅｓが略０になるため、総合共振尖鋭度Ｑｔｓは機械的共振尖鋭度Ｑｍｓに略等しくなる。
【００６８】
従って、電流駆動によって動作されるスピーカーユニット１にあっては、総合共振尖鋭度Ｑｔｓにおいて電気的共振尖鋭度Ｑｅｓを無視することが可能になり、総合共振尖鋭度Ｑｔｓが機械的共振尖鋭度Ｑｍｓのみによって定まる値になる。
【００６９】
そこで、スピーカーユニット１にあっては、上記したように、磁性流体１７の粘度を高くして機械的共振尖鋭度Ｑｍｓを１．０以下の値になるようにして適切に調整し、総合共振尖鋭度Ｑｔｓをコントロールし、低域の良好な再生特性を確保した上で最低共振周波数Ｆ０付近における発振を十分に抑制することができる。
【００７０】
尚、スピーカーユニット１においては、機械的共振尖鋭度Ｑｍｓが０．５以上０．６以下にされることがより望ましい。
【００７１】
機械的共振尖鋭度Ｑｍｓが０．５以上０．６以下にされることにより、低域の良好な出力状態を確保した上で最低共振周波数Ｆ０における発振を十分に抑制して音質の一層の向上を図ることができる。
【００７２】
［スピーカーユニットの変形例］
以下に、変形例に係るスピーカーユニット１Ａについて説明する（図６参照）。
【００７３】
尚、以下に示すスピーカーユニット１Ａは、上記したスピーカーユニット１と比較して、ダンパーが配置されていることのみが相違する。従って、以下のスピーカーユニット１Ａについての説明においては、スピーカーユニット１と比較して異なる部分についてのみ詳細に説明をし、その他の部分についてはスピーカーユニット１における同様の部分に付した符号と同じ符号を付して説明を省略する。
【００７４】
スピーカーユニット１Ａには、コイルボビン１５の軸方向における中間部にダンパー２０が取り付けられている。ダンパー２０は薄い略円環状に形成されて弾性変形可能とされ、内周部がコイルボビン１５の外周面に取り付けられ、外周部がフレーム２に取り付けられている。ダンパー２０はコイル１６に駆動電流が供給されコイルボビン１５が軸方向へ変動されたときに弾性変形され、コイルボビン１５の軸方向における過度の変動を抑制する機能を有している。
【００７５】
スピーカーユニット１Ａのようにダンパー２０が設けられる場合には、バネ振動が大きくなり易いため磁性流体１７の粘度を調整して最低共振周波数Ｆ０付近における発振を十分に抑制する必要があるが、再生域における高い出力を確保することが可能になる。
【００７６】
［まとめ］
以上に記載した通り、スピーカーユニット１、１Ａにあっては、磁気ギャップ１４に磁性流体１７が注入され、磁性流体１７の粘度が所定以上の値にされて機械的共振尖鋭度Ｑｍｓが１．０以下にされている。
【００７７】
従って、最低共振周波数Ｆ０付近における発振を十分に抑制することが可能になり、音質の向上を図ることができる。
【００７８】
また、スピーカーユニット１、１Ａを全帯域用のフルレンジ又は低域用のウーファーとして用いることにより、スピーカーユニット１、１Ａの再生帯域に最低共振周波数Ｆ０が必ず含まれ、この最低共振周波数Ｆ０における発振を確実に抑制して、低域における音質の向上を図ることができる。
【００７９】
さらに、磁性流体１７として合成エステルに酸化鉄が含有された材料が用いらることにより、この材料が機械的共振尖鋭度Ｑｍｓを低下させる材料として好適であり粘度の調整も比較的容易であるため、スピーカーユニット１、１Ａの製造コストの高騰を来たすことなく音質の向上を図ることができる。
【００８０】
［本技術］
本技術は、以下のような構成にすることができる。
【００８１】
（１）磁力を発生するマグネットと、磁力を作用させる磁気ギャップと、少なくとも一部が前記マグネットに対向して位置され、マグネットの磁力を前記磁気ギャップに導く磁気回路を形成するヨークと、筒状に形成され前記マグネットと前記ヨークに対して軸方向へ変動可能にされたコイルボビンと、前記コイルボビンに巻き付けられ少なくとも一部が前記磁気ギャップに配置されたコイルと、前記コイルボビンの変動に伴って振動されるコーンと、前記コーンを略中央に保持するエッジと、前記エッジ及び前記ヨークをそれぞれ固定するフレームとを備え、前記磁気ギャップに磁性流体が注入され、前記磁性流体の粘度が所定以上の値にされて機械的共振尖鋭度が１．０以下にされ、電流駆動によって電流に比例した音声の出力が行われるスピーカーユニット。
【００８２】
（２）全帯域用のフルレンジ又は低域用のウーファーとして用いられた前記（１）に記載のスピーカーユニット。
【００８３】
（３）前記機械的共振尖鋭度が０．５以上０．６以下にされた前記（１）又は前記（２）に記載のスピーカーユニット。
【００８４】
（４）フレームと前記コイルボビンの間で連結された弾性を有するダンパーとが設けられた前記（１）から前記（３）の何れかに記載のスピーカーユニット。
【００８５】
（５）前記磁性流体として合成エステルに酸化鉄が含有された材料が用いられた前記（１）から前記（４）の何れかに記載のスピーカーユニット。
【００８６】
上記した最良の形態において示した各部の具体的な形状及び構造は、何れも本技術を実施する際の具体化のほんの一例を示したものにすぎず、これらによって本技術の技術的範囲が限定的に解釈されることがあってはならないものである。
【符号の説明】
【００８７】
１…スピーカーユニット、２…フレーム、７…ヨーク、１２…マグネット、１４…磁気ギャップ、１５…コイルボビン、１６…コイル、１７…磁性流体、１８…コーン、１Ａ…スピーカーユニット、２０…ダンパー
【図１】
0006003980.tif 000002
【図２】
0006003980.tif 000003
【図３】
0006003980.tif 000004
【図４】
0006003980.tif 000005
【図５】
0006003980.tif 000006
【図６】
0006003980.tif 000007